(57)【要約】      （修正有）【課題】小型化できるとともに良好な外観性が得られる照明装置を提供する。【解決手段】セード１０におけるセード１０と灯具２０との間に端子台を設置したので、端子台を収容するスペースを幅方向に設ける必要がなくなり、灯具２０の幅を小さくするとともにセード１０の幅を小さくして照明器具１の小型化を図ることができる。また、安定器をセード１０の外部ではなく灯具２０に固体するため、外観性を向上できるとともに、安定器が灯具２０および光源２４の間に配置されているため、施工後に下方から目立たず、良好な外観性を得ることができる。そして、隣接する各照明器具１の長手方向端部同士が連結手段により連結され、各照明器具１のうちの一方から他方へ給電するための給電線３が収容方向に沿ったセード１０および灯具２０間に配線されているので、目立たず外観性を向上させるとともに、スペースを効率よく使用することができる。【選択図】図１
2009087779.tif 000002
【特許請求の範囲】
【請求項１】
開口を有する断面形状が所定長さ連続するセードと、
前記セードに収容される灯具と、
前記灯具に支持される管状の光源と、
前記セードに対する前記灯具の収容方向に沿った前記セードおよび前記灯具間において前記セードに固定された端子台と、
前記収容方向に沿った前記灯具および前記光源間において前記灯具に固定された安定器とを有する照明器具を複数備え、
前記各照明器具の長手方向端部同士が連結手段により連結されるとともに、互いに隣り合う各照明器具のうちの一方から他方へ給電するための給電線が前記収容方向に沿った前記セードおよび前記灯具間に配線されていることを特徴とする照明装置。
【請求項２】
互いに隣り合う前記セードのうちの一方の内側面に設けられて他方の内側面に掛け渡される添え板部を有していることを特徴とする請求項１記載の照明装置。
【請求項３】
前記添え板部が前記セードに一体成形されていることを特徴とする請求項２に記載の照明装置。
【発明の詳細な説明】
【背景技術】
【０００１】
従来の光源を収容する灯具をセードにより覆った照明器具においては、図２３に示すようなものが知られている（例えば特許文献１参照）。
図２３に示すように、この照明器具１００では、下向きに開口１０１ａを有する断面コ字状のセード１０１を有しており、このセード１０１の内部に灯具１０２や安定器１０３が収容されている。灯具１０２は、管状の光源１０４や光源１０４からの光を下方へ反射する反射板１０５を有している。
【特許文献１】特開２００１−１４３５０３号公報
【発明の開示】
【発明が解決しようとする課題】
【０００２】
ところで、近年の建築物に用いられる照明器具においては、一層の小型化や外観性の向上の要望が強くなっている。例えば、照明器具を連結して使用する際に、器具間に給電線を配線しなければならないが、給電線を照明器具の外で配線すると外観性を損なうため、照明器具内部に配線しなければならない。このとき、給電線用の配線スペースを設けると、照明器具の大型化を招くことになる。
【０００３】
本発明は、前述した要望を満たすためになされたものであり、その目的は、小型化できるとともに良好な外観性が得られる照明装置を提供することを目的とする。
【課題を解決するための手段】
【０００４】
本発明の照明装置は、開口を有する断面形状が所定長さ連続するセードと、前記セードに収容される灯具と、前記灯具に支持される管状の光源と、前記セードに対する前記灯具の収容方向に沿った前記セードおよび前記灯具間において前記セードに固定された端子台と、前記収容方向に沿った前記灯具および前記光源間において前記灯具に固定された安定器とを有する照明器具を複数備え、前記各照明器具の長手方向端部同士が連結手段により連結されるとともに、互いに隣り合う各照明器具のうちの一方から他方へ給電するための給電線が前記収容方向に沿った前記セードおよび前記灯具間に配線されている構成を有している。
【０００５】
この構成により、セードで灯具を覆うことになるので、良好な外観性が得られる。また、光源を有する灯具はセードにより覆われるため、灯具の外観性を考慮する必要がなく、灯具としての機能だけを満たせばよく、これにより全体としての幅を小さくすることができる。また、セードにおけるセードと灯具との間に端子台を設置したので、端子台を収容するスペースを幅方向に設ける必要がなくなり、灯具の幅を小さくするとともにセードの幅を小さくして照明器具の小型化を図ることができる。また、安定器をセードの外部ではなく灯具に固体するため、外観性を向上できるとともに、安定器が灯具および光源の間に配置されているため、施工後に下方から目立たず、良好な外観性を得ることができる。そして、隣接する各照明器具の長手方向端部同士が連結手段により連結され、各照明器具のうちの一方から他方へ給電するための給電線が収容方向に沿ったセードおよび灯具間に配線されているので、目立たず外観性を向上させるとともに、スペースを効率よく使用することができる。
【０００６】
また、本発明の照明装置は、互いに隣り合う前記セードのうちの一方の内側面に設けられて他方の内側面に掛け渡される添え板部を有している構成を有している。
【０００７】
この構成により、隣接するセード間に隙間が生じた場合に、添え板部が隙間を埋めるため、外観性を向上させるとともに、両照明器具を連結する給電線が隙間に挟まって破損するのを防止することができる。
【０００８】
さらに、本発明の照明装置は、前記添え板部が前記セードに一体成形されている構成を有している。
【０００９】
この構成により、添え板部をセードに一体的に設けたので、部品点数を減少させて、取付を容易化することができる。
【発明の効果】
【００１０】
本発明は、セードで灯具を覆うことになるので、良好な外観性が得られる。また、光源を有する灯具はセードにより覆われるため、灯具の外観性を考慮する必要がなく、灯具としての機能だけを満たせばよく、これにより全体としての幅を小さくすることができる。また、セードにおけるセードと灯具との間に端子台を設置したので、端子台を収容するスペースを幅方向に設ける必要がなくなり、灯具の幅を小さくするとともにセードの幅を小さくして照明器具の小型化を図ることができる。また、安定器をセードの外部ではなく灯具に固体するため、外観性を向上できるとともに、安定器が灯具および光源の間に配置されているため、施工後に下方から目立たず、良好な外観性を得ることができる。そして、隣接する各照明器具の長手方向端部同士が連結手段により連結され、各照明器具のうちの一方から他方へ給電するための給電線が収容方向に沿ったセードおよび灯具間に配線されているので、目立たず外観性を向上させるとともに、スペースを効率よく使用することができるという効果を有する照明装置を提供することができるものである。
【発明を実施するための最良の形態】
【００１１】
以下、本発明の実施の形態の照明器具について、図面を用いて説明する。
図１は本発明の第１の実施の形態にかかる照明器具の全体を示す斜視図、図２は照明器具の組立図、図３は照明器具の断面図、図４（Ａ）はセードの長手方向に沿った断面図およびその端面図、図４（Ｂ）は灯具反射板に灯具本体を取付けた状態を示す長手方向に沿った断面図およびその端面図、図４（Ｃ）は反射板の端面図および長手方向に沿った断面図およびその端面図、図５はセードおよび灯具の右半分を示す拡大断面図、図６はセードおよび灯具の左半分を示す拡大断面図、図７（Ａ）は灯具反射板に対する灯具本体の取付部を示す分解斜視図、図７（Ｂ）は取付部の断面図、図７（Ｃ）は支軸部材の拡大図、図８は灯具本体を回動させてランプをセードから突出させた状態を示す斜視図、図９（Ａ）はエンドプレートの配置を示す説明図、図９（Ｂ）はエンドプレートと灯具との関係を示す拡大断面図、図１０（Ａ）はエンドプレートの分解斜視図、図１０（Ｂ）はエンドプレートの断面図である。
【００１２】
図１〜図３に示すように、照明器具１は、開口１１を有するセード１０と、セード１０の内部に収容される灯具２０とを有しており、灯具２０には光源であるランプ２４が交換可能に取付けられている。これにより、セード１０で灯具２０を覆うことになるので、良好な外観性が得られる。また、ランプ２４を有する灯具２０はセード１０により覆われるため、灯具２０の外観性を考慮する必要がなく、灯具２０としての機能だけを満たせばよく、これにより全体としての幅を小さくすることができる。
【００１３】
セード１０は、例えば開口１１を下方に向けた断面コ字状をした例えば金属やプラスチック等の遮光性の材料によって所定長さ形成されており、天井や壁に直接固定したり、あるいは天井から吊下げたりして使用される。セード１０は、複数部分に分割して形成することができ、全体として所定長さを有している。また、長手方向の両端部には、端面を閉じるエンド部材であるエンドプレート１２が設けられており、エンドプレート１２の内側にはコネクタ１３が設けられている。セード１０が複数部分に分割されている場合においても、両端部のみにエンドプレート１２を設ければ十分である。
【００１４】
図２に示すように、灯具２０は、セード１０の内部に収容されセード１０に取付けられる灯具反射板２１と、灯具反射板２１の内部に収容される灯具本体２２と、灯具本体２２に取付けられる反射板２３と、灯具本体２２に支持されるとともに給電される管状の光源であるランプ２４を有している。これら灯具反射板２１、灯具本体２２、反射板２３およびランプ２４を直列に連続させて灯具２０を形成することもできる。また、灯具２０には、灯具本体２２に給電するためのコネクタ２２ａが設けられており、灯具反射板２１の上面を貫通して灯具２０の外部に露出しており、セード１０から出ているコネクタ１３と接続可能となっている。
【００１５】
図３に示すように、灯具反射板２１はセード１０と同様に断面コ字状をしており、セード１０の内部に収容される大きさとなっている。図５に示すように、この灯具反射板２１は、後述する取付台１５にネジ１５ａによって締結することにより、セード１０の内部に固定されるようになっている。このため、灯具反射板２１の天板２１ａとセード１０の天板下面１０ａとの間には、隙間１５ｂが設けられることになる（図３参照）。
【００１６】
図５および図６に示すように、灯具本体２２は灯具反射板２１の内部に収容されている。図７（Ａ）に示すように、灯具反射板２１の一端（ここでは右端（図２参照））における一方の側板２１ｃの上端には軸穴２１ｂが設けられている。灯具本体２２の一端における同じ側の側面２２ｃにも、灯具反射板２１の軸穴２１ｂに対応して軸穴２２ｂが設けられている。また、灯具反射板２１の一端（ここでは右端（図２参照））における他方の側板２１ｄの上端には、灯具反射板２１の内側に突出する軸受突起２１ｅが設けられており、灯具本体２２の他方の側版２２ｄには、軸受突起２１ｅが回動可能に嵌合する軸受凹部２２ｅが設けられている。
【００１７】
従って、灯具反射板２１の内部に灯具本体２２を収容し、灯具本体２２の軸受凹部２２ｅに灯具反射板２１の軸受突起２１ｅを嵌合させるとともに、灯具反射板２１の外側から支軸部材であるネジ２６を軸穴２１ｂおよび軸穴２２ｂに挿入し、ナット２７（図７（Ｂ）参照）によってネジ２６を固定することにより、灯具本体２２を灯具反射板２１の内部に、回動可能に取付けることができる。なお、灯具反射板２１の他端（ここでは左端）においては、図６に示すように、灯具本体２２の左端部に設けられている止め金具２２ｇを、ネジ２２ｈによって灯具反射板２１の止め台２１ｆに締結することにより、灯具本体２２を灯具反射板２１に固定するようになっている。
【００１８】
従って、ネジ２２ｈを外して、灯具本体２２の止め金具２２ｇを灯具反射板２１の止め台２１ｆから解放することにより、図８に示すように、灯具２０における少なくとも一部（ここでは灯具本体２２）がランプ２４とともに回動してセード１０から突没可能となる。このため、施工を簡略化できるとともに、ランプ２４を容易に交換することができる。
【００１９】
なお、図７（Ｃ）に示すように、ネジ２６は、頭部２６ａと、頭部２６ａよりも小径の円柱部２６ｂと、円柱部２６ｂと同一軸線に沿って連続するネジ部２６ｃとを有している。ネジ２６は、灯具反射板２１における側部反射板である側版２１ｃの軸穴２１ｂおよび灯具本体２２に設けられて側板２１ｃと平行な平行板である側版２２ｃの軸穴２２ｂを貫通している。そして、ネジが切られていない円柱部２６ｂが、一方の軸穴（ここでは軸穴２１ｂ）に支持されるようになっており、スムーズに回動するようになっている。また、他方の軸穴（ここでは軸穴２２ｂ）をネジ切り加工し、ネジ部２６ｃを螺合させて締結している。なお、ネジ切り加工せずに、ナットで締結するようにすることもできる。
【００２０】
また、灯具反射板２１の側板２１ｃと、灯具本体２２の側板２２ｃとのうちの一方（ここでは、例えば側板２２ｃに突起部２２ｆが設けられており、灯具反射板２１に対して点摺接しながら回動するようになっている。これにより、灯具反射板２１と灯具本体２２との間における面接触による摩擦抵抗を無くして円滑に回動することができるとともに、塗膜の剥離を防止することができる。
【００２１】
また、図３および図５〜図７に示すように、灯具本体２２の両端部には、ランプ２４に給電するためのソケット２７、２７と、ソケット２７に取付けたランプ２４を支持して脱落を防止する止め金具２８、２８を有している。止め金具２８はＵ字状をしており、両上端が灯具本体２２に固定されている。止め金具２８は、常時上方（図７（Ａ）において矢印Ａ方向）へ付勢されており、ランプ２４に密着するようになっている。
【００２２】
図４に示すように、反射板２３は、灯具本体２３に設けられている両ソケット２７、２７の間隔よりも短く設けられており、灯具本体２３に取付けた際に、ソケット２７や止め金具２８と干渉しないようになっている。これにより、ランプ２４の交換が容易になっている。
【００２３】
図４（Ａ）に示すように、セード１０に対する灯具２０の収容方向（図４中上方向）に沿ったセード１０および灯具２０の間において、端子台１４がセード１０に固定されている。図５に示すように、セード１０の天板下面１０ａに取付金具１４ａを取付け、この取付金具１４ａに端子台１４が取付けられており、コネクタ１３に接続するとともに、長手方向の予備配線１４ｂに接続されている。
【００２４】
これにより、セード１０におけるセード１０と灯具２０との間に端子台１４を設置したので、端子台１４を収容するスペースを幅方向に設ける必要がなく、灯具２０の幅を小さくするとともにセード１０の幅を小さくして照明器具１の小型化を図ることができる。なお、取付金具１４ａの一端はセード１０の天板下面１０ａにネジ１４ｃにより固定され、他端は天板下面１０ａに取付けられている取付台１５に固定されている。
【００２５】
また、収容方向に沿った灯具本体２２とランプ２４との間において、安定器２５が灯具本体２２に固定されており、安定器２５はコネクタ２２ａに接続されている。これにより、安定器２５をセード１０の外部に配置する必要がなく、外観性を向上できる。しかも安定器２５が灯具２０およびランプ２４の間に配置されているため、施工後に下方から目立たず、良好な外観性を得ることができる。なお、灯具２０とランプ２４との間において安定器２５が灯具本体２２に固定されているため、例えば後述するように灯具反射板２１に対して灯具本体２２を回動可能としておくことにより、ランプ２４を交換するたびに配線を取り外す必要がなく、ランプ２４の交換作業を簡略化することができる。
【００２６】
図９（Ａ）に示すように、セード１０の端部に設けられているエンドプレート１２は、セード１０の長手方向に対して交差する面状の部材であり、各エンドプレート１２はランプ２４に向かって傾斜している。すなわち、エンドプレート１２の取付部であるセード１０の天板下面１０ａ間の長さＬ１は、エンドプレート１２の先端（ここでは下端）の間隔Ｌ２よりも大きくなっている。このため、図９（Ｂ）に示すように、エンドプレート１２は灯具２０に押し付けられて接触することになり、確実に光漏れを防止することができる。
【００２７】
図１０（Ａ）および（Ｂ）に示すように、エンドプレート１２は金属製あるいは樹脂製の部材であり、セード１０の端部側に位置する外エンド１２ａと、セード１０の内側に位置する内エンド１２ｂを有している。外エンド１２ａは全体Ｊ字状をしており、上端部にセード１０に取付けるための取付部１２ｃを有している。取付部１２ｃの角度θ１は鋭角に形成されている。一方、内エンド１２ｂは平板状をしており、上端部には取付部１２ｄを有している。内エンド１２ｂにおける取付部１２ｄの形成角度θは、鈍角となっている。
【００２８】
従って、外エンド１２ａの内側に内エンド１２ｂを嵌めてエンドプレート１２を形成すると、内エンド側へ傾いた状態となる。このエンドプレート１２をセード１０に取付けると、エンドプレート１２はセード１０の内側、すなわちランプ２４側へ傾斜することになるので、灯具２０をセード１０に取付けると灯具２０の端面を押した状態で接触することになる。
【００２９】
次に、前述した照明器具１を複数個連続させた照明装置２について説明する。
図１１は照明装置の全体を示す斜視図、図１２は照明器具同士の連結を示す斜視図、図１３（Ａ）は連結手段を示す分解斜視図、図１３（Ｂ）は連結手段の断面図、図１３（Ｃ）は固定ボルトの向きと締付け力等との関係を示すベクトル図、図１４は隣接するセードの隙間および段差の周性を示す説明図、図１５（Ａ）は連結部材の角度が４５度以上の場合を示す断面図、図１５（Ｂ）は連結部材の角度が４５度以下の場合を示す断面図、図１６（Ａ）はセードと連結部材との間系を示す斜視図、図１６（Ｂ）はセードと連結部材との間系を示す断面図、図１７は照明装置の断面図、図１８は照明装置における照明器具の連結部を示す長手方向に沿った断面図、図１９（Ａ）は隣接する照明器具の接続前の状態を示す斜視図、図１９（Ｂ）は隣接する照明器具の接続後の状態を示す斜視図、図２０は添え板部と連結部材との関係を示す分解斜視図である。なお、前述した照明器具１において説明した部位と共通する部位には同じ符号を付して、重複する説明を省略することとする。
【００３０】
図１１および図１２に示すように、本発明の照明装置２は、前述した照明器具１を複数備えており、各セード１０の長手方向端部同士を連結手段３０（図１８参照）により連結している。図１３（Ａ）および（Ｂ）に示すように、連結手段３０は、一方の照明器具１のセード１０に設けられた平板状の第１連結部材３１と、他方の照明器具１のセード１０に設けられている第２連結部材３２とを有している。
【００３１】
図１３（Ａ）に示すように、第１連結部材３１は、セード１０に取り付ける固定板としてのベース３１ａに支持されており、ベース３１ａの左右両側にはセード１０の側板側に曲げ降ろしたガイド部３１ｂを有している。ベース３１ａには、セード１０に取付けるためのネジ穴３１ｃが設けられており、第１連結部材３１には固定ボルト３３が貫通するネジ穴３１ｄが設けられている。図１３（Ｂ）に示すように、第１連結部材３１は、ベース３１ａに対して鈍角（角度θ１）で曲げ下ろされており、第１連結部材３１の先端は隣接するセード１０側に傾いている。
【００３２】
また、図１３（Ａ）に示すように、第２連結部材３２は、セード１０に取付ける固定板としてのベース３２ａによって支持されている。ベース３２ａにはセード１０に取付けるためのネジ穴３２ｂが設けられており、第２連結部材３２には固定ボルト３３用のネジ穴３２ｃが設けられている。なお、取付け作業性および部品点数の観点から、第２連結部材３２のネジ穴３２ｃは、固定ボルト３３に対応したネジ切り加工をしておくのが望ましい。
【００３３】
図１３（Ｂ）に示すように、第２連結部材３２は、ベース３２ａに対して鋭角（角度θ２）で曲げ下ろされており、第２連結部材３２の先端は、第２連結部材３２が取付けられているセード１０側に傾斜している。なお、θ１＋θ２＝１８０度となるのが望ましい。また、隣接する照明器具１を連結する際に、第１連結部材３１と第２連結部材３２との間に隙間３４を設けるようにするのが望ましい。これにより、固定ボルト３３を締結した際に、隣り合うセード１０、１０を互いに引き寄せる力が第１連結部材３１および第２連結部材３２の弾性により得られるので、セード１０間に隙間が生じる可能性を少なくでき、外観性を向上させることができる。
【００３４】
従って、図１３（Ｂ）に示すように、両連結部材３１、３２のねじ穴３１ｄ、３２ｃを貫通あるいは螺合する固定ボルト３３は、セード１０の端面１０ｂおよび開口面１０ｃに対して傾斜することになる。例えば、図１３（Ｃ）に示すように、固定ボルト３３が４５度傾斜している場合には、固定ボルト３３の締付け力ｆの分力ｆｙ、ｆｘは、等しくなる。このため、図１４に示すように、分力ｆｘによって隣接するセード１０、１０間の隙間ｄ１を閉じるとともに、隣接するセード１０、１０間の段差ｄ２をなくして、スムーズに接続することができ、外観性を向上させることができる。
【００３５】
このように、連結する両照明器具１、１に設けられている第１連結部材３１と第２連結部材３２を固定ボルト３３が斜めに締め込むため、セード１０の長手方向に沿って引き寄せる力が多く得られ、施工後に隣り合うセード１０、１０間に隙間ｄ１（図１４参照）や段差ｄ２が生じる可能性を従来に比して小さくでき、一層、良好な外観性を得ることができることとなる。
【００３６】
なお、図１５（Ａ）に示すように、第２連結部材３２の角度θ２が４５度以上（すなわち、第１連結部材３１の角度θ１が１３５度以下）の場合には、分力ｆｘ＞分力ｆｙとなるので、セード１０間の隙間ｄ１を詰める方が優先となる。一方、図１５（Ｂ）に示すように、第２連結部材３２の角度θ２が４５度以下（すなわち、第１連結部材３１の角度θ１が１３５度以上）の場合には、分力ｆｘ＜分力ｆｙとなるので、セード１０間の段差ｄ２を無くす方が優先となる。
【００３７】
さらに、図１６（Ａ）および（Ｂ）に示すように、第１連結部材３１をセード１０に取付けるベース３１ａの幅、および第２連結部材３２をセード１０に取付けるベース３２ａの幅を、セード１０の天板１０ａの内幅寸法に対応させるのが望ましい。
これにより、セード１０の天板１０ａの幅と、第１連結部材３１のベース３１ａおよび第２連結部材３２を支持するベース３２ａの幅とが一致するため、ベース３１ａ、３２ａはセード１０の一対の側面部である側板１０ｄ、１０ｄの基端部間に挟まれ、セード１０に対する連結部材３１、３２の位置ずれが生じにくくなる。
【００３８】
図１７および図１８に示すように、隣接する照明器具１、１の長手方向端部同士が連結手段３０である第１連結部材３１および第２連結部材３２により連結されている連結部分においては、互いに隣り合う各照明器具１、１のうちの一方から他方へ給電するための給電線３が、収容方向に沿ったセード１０と灯具２０との間に配線されている。このため、目立たずに給電線３を配線することができ、外観性を向上させるとともに、スペースを効率よく使用することができる。
【００３９】
また、図１９（Ａ）および（Ｂ）に示すように、互いに隣り合うセード１０、１０のうちの一方のセード１０の内側面に添え板部４０を設け、他方のセード１０の内側面に掛け渡されている。従って、図１７に示すように、他方の照明器具１においては、セード１０と灯具反射板２１との間に、添え板部４０を挿入するための隙間ｄ３を設けておく。
これにより、隣接するセード１０、１０間に隙間ｄ４が生じた場合に、添え板部４０が隙間を埋めるため、外観性を向上させるとともに、両照明器具１、１を連結する給電線３が隙間に挟まって破損するのを防止することができる。なお、添え板部４０をセード１０に一体成形により設けることができる。これにより、部品点数を減少させて、取付を容易化することができる。
【００４０】
一方、添え板部４０をセード１０とは別個に設けることもできる。この場合、図２０に示すように、セード１０の内部に収容される断面コ字状の添え板部４０を形成しておき、この添え板部４０の内部に挿入される大きさの断面コ字状の連結部材３５を形成する。添え板部４０および連結部材３５の天板４１、３５ａには、隣接する一方のセード１０に締結するためのネジ穴４２、３５ｂを対応する位置に設けるとともに、隣接する他方のセード１０に締結するためのネジ穴４３，３５ｃを対応して設ける。そして、両セード１０，１０の内部に跨って添え板部４０および連結部材３５を配置し、ネジ止めする。なお、連結部材として、前述した第１連結部材３１を用いることも可能である。
【００４１】
なお、本発明の照明器具１は、前述した実施形態に限定されるものでなく、適宜な変形，改良等が可能である。
例えば、前述した実施形態においては、セード１０の断面形状を矩形とした場合を例示したが、本発明の照明器具１はその他の断面形状（例えば、Ｃ字状、Ｕ字状等）にも適用可能である。
また、前述した実施形態においては、セード１０の断面形状と、灯具２０の断面形状とを相似形としたが、これに限らず、例えば、セードを一部開口した円形断面とし、灯具２０をコ字状とすることもできる。
【００４２】
また、前述した実施形態においては、第１連結部材３１および第２連結部材３２をセード１０とは別個に設けた場合について説明したが、図２１に示すように、両連結部材３１、３２をセード１０と一体的に設けることも可能である。この場合には、部品点数を減少させることができる。
【００４３】
さらに、前述した照明器具１、照明装置２においては、直線状のものを例示したが、この他、図２２（Ａ）に示すように、部分円弧上の照明器具１を複数個連結して、円弧状の照明装置２を形成することもできる。あるいは、図２２（Ｂ）に示すように、直線状の照明器具１を直角に連結することも可能である。
【産業上の利用可能性】
【００４４】
以上のように、本発明にかかる照明装置は、セードで灯具を覆うことになるので、良好な外観性が得られる。また、光源を有する灯具はセードにより覆われるため、灯具の外観性を考慮する必要がなく、灯具としての機能だけを満たせばよく、これにより全体としての幅を小さくすることができる。また、セードにおけるセードと灯具との間に端子台を設置したので、端子台を収容するスペースを幅方向に設ける必要がなくなり、灯具の幅を小さくするとともにセードの幅を小さくして照明器具の小型化を図ることができる。また、安定器をセードの外部ではなく灯具に固体するため、外観性を向上できるとともに、安定器が灯具および光源の間に配置されているため、施工後に下方から目立たず、良好な外観性を得ることができる。そして、隣接する各照明器具の長手方向端部同士が連結手段により連結され、各照明器具のうちの一方から他方へ給電するための給電線が収容方向に沿ったセードおよび灯具間に配線されているので、目立たず外観性を向上させるとともに、スペースを効率よく使用することができるという効果を有し、光源を収容する灯具をセードにより覆った照明器具を複数個直列に連続して取付ける照明装置等として有用である。
【図面の簡単な説明】
【００４５】
【図１】本発明の第１の実施の形態にかかる照明器具の全体を示す斜視図
【図２】照明器具の組立図
【図３】照明器具の断面図
【図４】（Ａ）はセードの長手方向に沿った断面図およびその端面図、（Ｂ）は灯具反射板に灯具本体を取付けた状態を示す長手方向に沿った断面図およびその端面図、（Ｃ）は反射板の端面図および長手方向に沿った断面図およびその端面図
【図５】セードおよび灯具の右半分を示す拡大断面図
【図６】セードおよび灯具の左半分を示す拡大断面図
【図７】（Ａ）は灯具反射板に対する灯具本体の取付部を示す分解斜視図、（Ｂ）は取付部の断面図、（Ｃ）は支軸部材の拡大図
【図８】灯具本体を回動させてランプをセードから突出させた状態を示す斜視図
【図９】（Ａ）はエンドプレートの配置を示す説明図、（Ｂ）はエンドプレートと灯具との関係を示す拡大断面図
【図１０】（Ａ）はエンドプレートの分解斜視図、（Ｂ）はエンドプレートの断面図
【図１１】照明装置の全体を示す斜視図
【図１２】照明器具同士の連結を示す斜視図
【図１３】（Ａ）は連結手段を示す分解斜視図、（Ｂ）は連結手段の断面図、（Ｃ）は固定ボルトの向きと締付け力等との関係を示すベクトル図
【図１４】隣接するセードの隙間および段差の周性を示す説明図
【図１５】（Ａ）は連結部材の角度が４５度以上の場合を示す断面図、（Ｂ）は連結部材の角度が４５度以下の場合を示す断面図
【図１６】（Ａ）はセードと連結部材との間系を示す斜視図、（Ｂ）はセードと連結部材との間系を示す断面図
【図１７】照明装置の断面図
【図１８】照明装置における照明器具の連結部を示す長手方向に沿った断面図
【図１９】（Ａ）は隣接する照明器具の接続前の状態を示す斜視図、（Ｂ）は隣接する照明器具の接続後の状態を示す斜視図
【図２０】添え板部と連結部材との関係を示す分解斜視図
【図２１】連結部材をセードに一体的に設けた場合を示す断面図
【図２２】（Ａ）および（Ｂ）は照明装置の別の形態を示す平面図
【図２３】従来の照明器具の断面図
【符号の説明】
【００４６】
１  照明器具
２  照明装置
３  給電線
１０  セード
１１  開口
１４  端子台
２０  灯具
２４  ランプ（光源）
２５  安定器
３０  連結手段
４０  添え板部
【図１】
2009087779.tif 000003
【図２】
2009087779.tif 000004
【図３】
2009087779.tif 000005
【図４】
2009087779.tif 000006
【図５】
2009087779.tif 000007
【図６】
2009087779.tif 000008
【図７】
2009087779.tif 000009
【図８】
2009087779.tif 000010
【図９】
2009087779.tif 000011
【図１０】
2009087779.tif 000012
【図１１】
2009087779.tif 000013
【図１２】
2009087779.tif 000014
【図１３】
2009087779.tif 000015
【図１４】
2009087779.tif 000016
【図１５】
2009087779.tif 000017
【図１６】
2009087779.tif 000018
【図１７】
2009087779.tif 000019
【図１８】
2009087779.tif 000020
【図１９】
2009087779.tif 000021
【図２０】
2009087779.tif 000022
【図２１】
2009087779.tif 000023
【図２２】
2009087779.tif 000024
【図２３】
2009087779.tif 000025